(57)【要約】【課題】遊技機本体の背面に回転自在に軸支された回動体に意図しない荷重が作用したとしても、軸および軸受の破損を防止する。【解決手段】遊技機は、遊技機本体に設けられ、壁部の上端面に開口する軸受孔が形成された軸受部と、軸受孔に対して壁部の上端面の開口から鉛直下方に向けて挿入される軸を有し、軸が軸受部によって回転自在に軸支されて、予め定められた閉位置と開位置との間で開閉する回動体（基板ユニット１００）と、回動体の移動軌跡範囲に設けられ、回動体の所定の開放位置における開放方向に向かって鉛直下方から鉛直上方に向けて傾斜する傾斜部５５と、を備え、回動体は、閉位置から開位置への開放過程で回動体の一部（リブ１１３ａ）が傾斜部５５を乗り上げると鉛直上方にスライドし、この鉛直上方へのスライドによって回動体の軸が軸受孔から抜ける関係性を有している。【選択図】図８
2014147642.tif 000002
【特許請求の範囲】
【請求項１】
遊技機本体に設けられ、壁部の上端面に開口する軸受孔が形成された軸受部と、
前記軸受孔に対して前記壁部の上端面の開口から鉛直下方に向けて挿入される軸を有し、該軸が該軸受部によって回転自在に軸支されて、予め定められた閉位置と開位置との間で開閉する回動体と、
前記回動体の移動軌跡範囲に設けられ、該回動体の所定の開放位置における開放方向に向かって鉛直下方から鉛直上方に向けて傾斜する傾斜部と、
を備え、
前記回動体は、前記閉位置から開位置への開放過程で該回動体の一部が前記傾斜部を乗り上げると鉛直上方にスライドし、この鉛直上方へのスライドによって該回動体の軸が軸受孔から抜ける関係性を有していることを特徴とする遊技機。
【請求項２】
前記回動体は、
本体と該本体の側面から突出する突出部とを有し、前記軸が該本体の側面に沿って該突出部に設けられており、
前記軸が前記軸受部によって回転自在に軸支された状態では、前記突出部が前記壁部の上端面に接触し、前記回動体の荷重が前記突出部を介して前記軸受部に作用することを特徴とする請求項１記載の遊技機。
【請求項３】
前記傾斜部は、
前記軸受部の壁部の上端面に連続して設けられており、
前記閉位置から開位置への開放過程で前記回動体の前記突出部が前記傾斜部を乗り上げることを特徴とする請求項２記載の遊技機。
【請求項４】
前記軸は、鉛直下方に向かうに従って径が細くなるテーパ部を有することを特徴とする請求項１〜３のいずれか１項に記載の遊技機。
【発明の詳細な説明】
【技術分野】
【０００１】
本発明は、遊技機本体に回動体が回転自在に軸支された遊技機に関する。
【背景技術】
【０００２】
従来、遊技者のハンドル操作により遊技盤内の遊技領域に向かって遊技球が発射され、遊技領域を流下した遊技球が始動口に入球したことを条件として大役抽選が行われ、この大役抽選により大当たりに当選すると、大入賞口が開放される大役遊技が実行可能となる遊技機が知られている。このような遊技機においては、主に遊技の進行を制御する基板や、演出を制御する基板をはじめとする多数の基板や端子板が固定されており、これらの基板や端子板が配線を介して接続されている。
【０００３】
これらの基板や端子板は、不正がなされないように、基板ケースに収容された状態で、遊技機本体の背面にネジ等で固定される。このとき、基板ケースを固定可能な面積に限りがあるため、基板ケースが他の部品や基板に積層して固定される場合がある。
【０００４】
この場合、例えば、表面に露出した基板ケースの奥側に配される基板や球通路等のメンテナンスを行う際に、手前に配される基板ケースを取り外す必要がある。そこで、遊技機本体の背面に基板ケースを回転可能に軸支させることで、手前に配される基板ケースを取り外さずとも、手前側に回転させるだけで、奥側の基板や球通路等のメンテナンスを可能とし、作業性を向上した技術が開示されている（例えば、特許文献１）。
【先行技術文献】
【特許文献】
【０００５】
【特許文献１】特開平１１−１１４１４９号公報
【発明の概要】
【発明が解決しようとする課題】
【０００６】
上記のように、遊技機には、基板ケースや、各種の部品を保護するための保護ケース等、さまざまな部品が開閉自在に設けられている。遊技機の設計、製造段階やメンテナンスの際には、こうした部品を開放して作業が行われることが多々あるが、作業中には、開放された部品に意図しない荷重がかかり、部品を開閉自在に軸支する軸および軸受が破損するおそれがある。
【０００７】
本発明の目的は、遊技機本体に回転自在に軸支された回動体に意図しない荷重が作用したとしても、軸および軸受の破損を防止することができる遊技機を提供することである。
【課題を解決するための手段】
【０００８】
上記課題を解決するために、本発明の遊技機は、遊技機本体に設けられ、壁部の上端面に開口する軸受孔が形成された軸受部と、前記軸受孔に対して前記壁部の上端面の開口から鉛直下方に向けて挿入される軸を有し、該軸が該軸受部によって回転自在に軸支されて、予め定められた閉位置と開位置との間で開閉する回動体と、前記回動体の移動軌跡範囲に設けられ、該回動体の所定の開放位置における開放方向に向かって鉛直下方から鉛直上方に向けて傾斜する傾斜部と、を備え、前記回動体は、前記閉位置から開位置への開放過程で該回動体の一部が前記傾斜部を乗り上げると鉛直上方にスライドし、この鉛直上方へのスライドによって該回動体の軸が軸受孔から抜ける関係性を有していることを特徴とする。
【０００９】
前記回動体は、本体と該本体の側面から突出する突出部とを有し、前記軸が該本体の側面に沿って該突出部に設けられており、前記軸が前記軸受部によって回転自在に軸支された状態では、前記突出部が前記壁部の上端面に接触し、前記回動体の荷重が前記突出部を介して前記軸受部に作用するとしてもよい。
【００１０】
前記傾斜部は、前記軸受部の壁部の上端面に連続して設けられており、前記閉位置から開位置への開放過程で前記回動体の前記突出部が前記傾斜部を乗り上げるとしてもよい。
【００１１】
前記軸は、鉛直下方に向かうに従って径が細くなるテーパ部を有するとしてもよい。
【発明の効果】
【００１２】
本発明によれば、遊技機本体の背面に回転自在に軸支された回動体に意図しない荷重が作用したとしても、軸および軸受の破損を防止することができる。
【図面の簡単な説明】
【００１３】
【図１】本実施形態の遊技機本体の正面図である。
【図２】遊技機本体の背面側を示す斜視図である。
【図３】遊技機本体の背面側における基板ユニットの開放状態を示す斜視図である。
【図４】軸受部および基板ユニットの組み付け図である。
【図５】組み付け後の軸受部および基板ユニットを説明するための図である。
【図６】軸受部が設けられる基体を説明するための図である。
【図７】基板ユニットを説明するための図である。
【図８】傾斜部およびリブの機能を説明するための図である。
【図９】変形例の傾斜部を説明するための図である。
【発明を実施するための形態】
【００１４】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１５】
図１は、本実施形態の遊技機本体１の正面図である。この図に示すように、本実施形態の遊技機本体（遊技機）１は、遊技盤３が固定された中枠と、透過部材５が固定された前扉７とが、基枠９に開閉自在に設けられており、これら中枠および前扉７が基枠９に対して閉じられると、透過部材５と遊技盤３とが所定の間隔を維持して平行に位置する。この遊技盤３の正面には、釘や風車等が設けられており、遊技盤３と透過部材５との間の空間によって、遊技球が流下する遊技領域１１が形成される。
【００１６】
遊技領域１１には、遊技球が入球可能な始動口１３や大入賞口１５等が設けられており、前扉７の下部に設けられた操作ハンドル１７を介して、遊技領域１１に遊技球が発射され、始動口１３に遊技球が入球すると、大入賞口１５が開放される大役遊技の実行可否の抽選が行われる。こうした抽選結果は、遊技盤３に固定された液晶表示器１９や、前扉７に設けられたスピーカ２１、照明装置２３等を用いて実行される演出によって遊技者に報知されることとなる。これら始動口１３、大入賞口１５に遊技球が入球すると、それぞれ所定の賞球が遊技者に払い出される。
【００１７】
また、遊技領域１１の最下部には、始動口１３、大入賞口１５のいずれにも入球しなかった遊技球を、遊技領域１１から遊技盤３の背面側に設けられた球通路に排出する排出口２５が設けられている。
【００１８】
また、遊技盤３の背面には、遊技の進行を制御する主制御基板や、各種の演出を制御する副制御基板、さらには、遊技球の発射制御を行う発射制御基板等、多数の基板が設けられている。
【００１９】
図２は、遊技機本体１の背面側を示す斜視図であり、図３は、遊技機本体１の背面側における基板ユニット１００の開放状態を示す斜視図である。なお、図２および図３中、理解を容易にするために、遊技盤３を省略している。以下、図中ＬＲ方向を遊技機本体１の幅方向とし、図中Ｆ方向を遊技機本体１の前面側または正面側とし、図中Ｂ方向を遊技機本体１の背面側とし、図中ＦＢ方向を奥行方向として説明する。
【００２０】
これらの図に示すように、遊技機本体１の背面側であって、遊技盤３が固定される部分よりも下方には、基板ユニット（回動体）１００が配される。詳しくは後述するが、基板ユニット１００は、制御基板を内包したユニットである。図３に示すように、基板ユニット１００は、軸１０１を有し、当該軸１０１が、遊技機本体１の背面に設けられた軸受部５０によって回転自在に軸支されている。したがって、基板ユニット１００は、図２および図３中、破線の矢印で示す方向に回転することとなる。
【００２１】
上記したように遊技機本体１には複数の制御基板が設けられており、遊技機本体１において、制御基板や部品の設置面積には限りがあるため、図３に示すように、基板ユニット１００は、遊技機本体１の奥行方向に積層されることとなる。ここで、基板ユニット１００の正面側（奥側）に配される別体の基板ユニット４０や、排出口２５を通じて排出された遊技球が通過する球通路２７をメンテナンスする場合、基板ユニット１００を回転させて、図２に示す基板ユニット１００の閉位置から図３に示す基板ユニット１００の任意の位置まで移動させる必要がある。
【００２２】
上述したように、遊技機本体１における制御基板や部品の設置面積には限りがあるため、例えば、基板ユニットを、図２に示す予め定められた閉位置から、３６０度回転自在に軸受部に軸支されるように構成すると、基板ユニットの開放過程において遊技機本体１の背面に配された他の部材と基板ユニットとが干渉してしまう。そこで、一般的には軸受部や基板ユニットにストッパを設けておき、基板ユニットが、別体の基板ユニット４０や球通路２７をメンテナンス可能な状態となるような位置であって、他の部材と干渉しない位置（以下、規制位置と称する）までしか回転しないように規制している。
【００２３】
しかし、メンテナンスを行う際に、基板ユニット１００が、規制位置に配された状態で、基板ユニット１００に対して、さらに開放方向（閉位置から遠ざかる方向）に移動させようとすると、基板ユニット１００の軸１０１や、軸受部５０に意図しない荷重がかかる場合がある。例えば、図３中、白抜き矢印で示すように、基板ユニット１００に対して、規制位置から、さらに開放方向に荷重がかかる場合がある。この場合、従来の基板ユニットでは、ストッパや、軸、軸受部に荷重が集中し、ストッパや、軸、軸受部が破損してしまうおそれがある。
【００２４】
そこで、本実施形態では、ストッパの形状を工夫することで、基板ユニット１００に意図しない荷重が作用したとしても、ストッパや軸受部５０、軸１０１の破損を防止する。以下、軸受部５０および軸１０１を有する基板ユニット１００の構成について詳述する。
【００２５】
図４は、軸受部５０および基板ユニット１００の組み付け図であり、図５は、組み付け後の軸受部５０および基板ユニット１００を説明するための図である。なお、理解を容易にするために、図４、図５において、基板ユニット１００の一部を省略する。
【００２６】
これらの図に示すように、遊技機本体１（中枠）の一部を構成する基体３０には、鉛直方向に配された２つの軸受部５０が設けられている。軸受部５０は、壁部５１と、壁部５１の上端面に開口する軸受孔５３とを含んで構成される。
【００２７】
また、基板ユニット１００には、鉛直下方に延伸した軸１０１が設けられている。軸１０１は、軸受孔５３に対して壁部５１の上端面の開口から鉛直下方に向けて挿入されて、軸受部５０に水平方向（図５中破線の両矢印で示す方向）に回転自在に軸支されることとなる。
【００２８】
また、軸１０１は、鉛直上方から軸受部５０の軸受孔５３に挿入されているだけであるため、意図的に基板ユニット１００を軸受部５０から取り外すときには、基板ユニット１００を所定の角度に開いた状態で鉛直上方に引き上げれば、容易に取り外すことができる。
【００２９】
また、基体３０には、リブ３４ａ（図３参照）、リブ３４ｂが設けられており、閉位置において基板ユニット１００の上面の一部が、リブ３４ｂの下面に対向することとなる。リブ３４ａを備える構成により、基板３０と基板ユニット１００との間への、ネジや遊技球等の異物の混入を防止することができる。また、リブ３４ｂを備える構成により、基板ユニット１００がある程度閉じられているときに、基板ユニット１００が鉛直上方へ抜けてしまう事態を防止することができる。
【００３０】
以下、図を用いて、基体３０、基板ユニット１００の具体的な構成について説明する。
【００３１】
（基体３０）
図６は、軸受部５０が設けられる基体３０を説明するための図であり、図６（ａ）は基体３０の上面図、図６（ｂ）は基体３０の背面図、図６（ｃ）は基体３０の側面図を示す。基体３０は、遊技機本体１の背面の少なくとも一部を構成し、図６に示すように、基体３０には、鉛直方向に沿って、２つの軸受部５０が設けられている。軸受部５０は、壁部５１と、壁部５１の上端面に開口するとともに基板ユニット１００の軸１０１が挿入される軸受孔５３とを含んで構成される。
【００３２】
また、基体３０には、ストッパとしての機能を有する傾斜部５５が設けられている。具体的に説明すると、本実施形態において傾斜部５５は、軸受部５０の壁部５１の上端面に連続して設けられている。傾斜部５５の機能については、後に詳述する。
【００３３】
（基板ユニット１００）
図７は、基板ユニット１００を説明するための図であり、図７（ａ）は基板ユニット１００の上面図、図７（ｂ）は基板ユニット１００の正面図、図７（ｃ）は基板ユニット１００の側面図を示す。なお、理解を容易にするために、図７において、基板ユニット１００の一部を省略する。図７に示すように、基板ユニット１００は、軸受部５０の軸受孔５３に挿入される軸１０１と、制御基板を内包（囲繞）する本体１１１と、本体１１１の側面から突出する突出部１１３とを含んで構成される。また、本実施形態の軸１０１は、鉛直下方に向かうに従って径が細くなるテーパ部１０１ａを有する。
【００３４】
本実施形態において、軸１０１は、本体１１１の側面に沿って、突出部１１３に設けられている。したがって、軸１０１が軸受部５０によって回転自在に軸支された状態では、突出部１１３が壁部５１の上端面に接触し、基板ユニット１００の荷重が突出部１１３を介して軸受部５０に作用することとなる。
【００３５】
また、本実施形態において、突出部１１３における軸１０１の近傍には、リブ１１３ａが形成されており、基板ユニット１００が開放方向に回転すると、リブ１１３ａが基体３０の傾斜部５５を乗り上げることとなる。リブ１１３ａによる傾斜部５５の乗り上げ機構については、後に詳述する。
【００３６】
（傾斜部５５およびリブ１１３ａの機能）
続いて、傾斜部５５およびリブ１１３ａの機能について説明する。図８は、傾斜部５５およびリブ１１３ａの機能を説明するための図である。本実施形態の図８では、垂直に交わるＸ軸（水平方向）、Ｙ軸（水平方向）、Ｚ軸（鉛直方向）を図示の通り定義している。また、図８では、紙面左側に基体３０および基板ユニット１００の斜視図を示し、紙面右側に斜視図における丸で囲んだ部分を拡大した部分拡大図を示す。なお、理解を容易にするために、図８において、基板ユニット１００の一部を省略する。
【００３７】
基板ユニット１００は、図８（ａ）に示す、予め定められた閉位置と、図８（ｃ）に示す、予め定められた開位置との間で、図８（ｂ）に示す規制位置を経由して開閉する。
【００３８】
また、図８に示すように、基体３０に設けられた傾斜部５５は、基板ユニット１００の移動軌跡範囲に設けられ、基板ユニット１００の所定の開放位置における開放方向に向かって、例えば、基板ユニット１００が配される側から基体３０に向かって、鉛直下方から鉛直上方（図８中、Ｚ軸方向）に向けて傾斜している。ここで、基板ユニット１００の移動軌跡範囲は、基板ユニット１００の閉位置から開位置まで基板ユニット１００を移動させたときに、基板ユニット１００のいずれか一部分が通過する空間範囲である。
【００３９】
図８（ａ）の部分拡大図に示すように、基板ユニット１００が閉位置に配される場合、リブ１１３ａと傾斜部５５とは、当接していない。そして、基板ユニット１００を閉位置から開放方向へ回転させ、基板ユニット１００が規制位置に到達すると、図８（ｂ）の部分拡大図に示すように、リブ１１３ａと傾斜部５５とが当接する。さらに、基板ユニット１００を規制位置から開放方向へ（開位置に向かって）回転させていくと、図８（ｃ）の部分拡大図に示すように、リブ１１３ａが傾斜部５５を乗り上げていくこととなる。
【００４０】
ここで、傾斜部５５は、開放方向に向かって鉛直下方から鉛直上方に向けて直線的に傾斜しているため、リブ１１３ａが傾斜部５５を乗り上げる過程においては、基板ユニット１００は、傾斜部５５の傾斜に沿って鉛直上方に移動することとなるため、基板ユニット１００は回転方向の移動と、鉛直上方への直線的な移動とを遂行することとなる。
【００４１】
したがって、閉位置から規制位置への開放過程において、まず、閉位置から規制位置に到達するまでは、傾斜部５５とリブ１１３ａとが当接していないため、基板ユニット１００は回転方向の移動のみを遂行することとなる。そして、基板ユニット１００を規制位置からさらに開放方向に移動させると、上述したようにリブ１１３ａが傾斜部５５を乗り上げるため、基板ユニット１００は、回転方向の移動と、傾斜部５５の傾斜に沿った鉛直上方（図８中、Ｚ軸方向）への直線的な移動とを遂行する。
【００４２】
つまり、基板ユニット１００は、規制位置を境にして、規制位置に到達するまでは、回転移動し、規制位置からさらに開放方向へ移動させると、回転移動および直線移動する。したがって、規制位置において、傾斜部５５とリブ１１３ａとが当接し、規制位置を境にして、基板ユニット１００の移動態様が変化する感触を作業者に与えることができ、基板ユニット１００が規制位置に配されている状態を作業者に認識させることが可能となる。
【００４３】
また、リブ１１３ａが傾斜部５５を乗り上げている途中で、さらなる開放方向への回転を停止すれば、リブ１１３ａは傾斜部５５を滑り落ち、基板ユニット１００に対して閉じる方向の力が作用する。
【００４４】
さらに、傾斜部５５の鉛直方向の高さＨ（図６参照）は、軸１０１の鉛直方向の長さＤ（図７参照）以上であるため、基板ユニット１００は、リブ１１３ａが傾斜部５５を乗り上げると鉛直上方にスライドし、この鉛直上方へのスライドによって基板ユニット１００の軸１０１が軸受孔５３から抜ける関係性を有している。したがって、規制位置からさらに開放方向へ移動したとしても、傾斜部５５、軸１０１、軸受部５０の破損を防止することが可能となる。
【００４５】
また、本実施形態において、軸１０１は、鉛直下方に向かうに従って径が細くなるテーパ部１０１ａ（図７参照）を有している。リブ１１３ａが傾斜部５５を乗り上げている間は、リブ１１３ａ（軸１０１）を手前（図８中、Ｙ軸方向）上方側に押す反力が、傾斜部５５からリブ１１３ａに作用する。しかしながら、軸１０１が軸受孔５３に挿入されている間は、軸１０１が手前側（図８中、Ｙ軸方向）に移動できないため、軸心位置は移動せずに、基板ユニット１００が回転しながら鉛直上方（図８中、Ｚ軸方向）に移動することとなる。
【００４６】
テーパ部１０１ａが軸受孔５３の開口に差し掛かると、上記反力によって、テーパ部１０１ａが軸受孔５３の縁を乗り上げるようにして、軸心位置が手前側に移動しつつ、不安定な状態で、基板ユニット１００全体が鉛直上方に移動する。そして、最終的にテーパ部１０１ａの先端が軸受孔５３の縁に乗り上げれば、基板ユニット１００の自重の偏りで、基板ユニット１００が軸受部５０から脱落することになる。ただし、軸１０１が軸受孔５３から完全に抜ける前に、テーパ部１０１ａが軸受孔５３の縁に到達した時点で、基板ユニット１００が不安定な状態となり、軸受部５０から基板ユニット１００が脱落する場合もある。
【００４７】
（変形例）
図９は、変形例の傾斜部１５５を説明するための図である。図９に示すように、変形例の傾斜部１５５は、基板ユニット１００の所定の開放位置における開放方向に向かって鉛直下方から鉛直上方に向けて傾斜する第１傾斜面１５５ａと、第１傾斜面１５５ａより傾斜角が大きく、基板ユニット１００の所定の開放位置における開放方向に向かって鉛直下方から鉛直上方に向けて傾斜する第２傾斜面１５５ｂと、第１傾斜面１５５ａと第２傾斜面１５５ｂとを連続する水平面１５５ｃとを含んで構成される。
【００４８】
このように傾斜部１５５の傾斜面を多段階（変形例では、２段階）とすることで、傾斜が切り換わる位置（ここでは、水平面１５５ｃ）において、基板ユニット１００の移動態様が変化する感触をより作業者に与えることができ、基板ユニット１００が傾斜部１５５を乗り上げている状態であることを作業者に認識させることが可能となる。したがって、基板ユニット１００をさらに開放方向に移動させると、基板ユニット１００が軸受部５０から脱落することを事前に作業者に把握させることができる。
【００４９】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【００５０】
例えば、上記実施形態では、回動体として基板ユニット１００を例に挙げて説明したが、回動体に限定はなく、遊技機本体１に回転自在に軸支された回動体であれば、前扉７や中枠であってもよい。
【００５１】
また、上記実施形態では、傾斜部５５が、鉛直下方から鉛直上方に向けて直線的に傾斜する構成について説明したが、傾斜部は、鉛直下方から鉛直上方に向けて傾斜していれば、直線的でなくてもよく、例えば、曲線的に傾斜していてもよい。
【符号の説明】
【００５２】
１     …遊技機本体
５０  …軸受部
５１   …壁部
５３   …軸受孔
５５   …傾斜部
１００  …基板ユニット（回動体）
１０１  …軸
１１１  …本体
１１３  …突出部
１１３ａ  …リブ
【図１】
2014147642.tif 000003
【図２】
2014147642.tif 000004
【図３】
2014147642.tif 000005
【図４】
2014147642.tif 000006
【図５】
2014147642.tif 000007
【図６】
2014147642.tif 000008
【図７】
2014147642.tif 000009
【図８】
2014147642.tif 000010
【図９】
2014147642.tif 000011